(57)【要約】【課題】  着用者の発汗に基づく悪臭や衛生上の問題を確実に解決し、しかも、面金、面蒲団及び内輪といった面防具本来の構成部材に対して位置決めよく正確に、かつ、強固に、しかも、着脱可能に取り付けることができる汗取りインナーを備えた剣道等の面防具を提供する。また、このような剣道等の面防具に用いる汗取りインナーを提供する。【解決手段】  少なくとも面金、面蒲団、及び内輪を備えた面防具であり、内輪及び面蒲団の内面側には内輪の内面略全面に対応する内輪内面被覆部と面蒲団内面の少なくとも頭頂部から頭側部に亘って対応する面蒲団内面被覆部とを有する汗取りインナーが配設され、この汗取りインナーの面蒲団内面被覆部と面蒲団との間には汗取りインナーを着脱可能に取り付けるための取着手段が設けられている剣道等の面防具である。また、このような剣道等の面防具に用いる汗取りインナーである。【選択図】        図３
2006180898.tif 000002
【特許請求の範囲】
【請求項１】
着用時に顔面前面に位置する面金と、この面金に取り付けられ、着用時に着用者の頭部を覆って保護する面蒲団と、上記面金及び／又は面蒲団の内側に取り付けられ、着用時に着用者の顔面周縁全体に当接して顔面と面金及び面蒲団との間を固定する内輪とを少なくとも備えた面防具であり、
上記内輪及び面蒲団の内面側には内輪の内面略全面に対応する内輪内面被覆部と面蒲団内面の少なくとも頭頂部から頭側部に亘って対応する面蒲団内面被覆部とを有する汗取りインナーを配設し、この汗取りインナーの面蒲団内面被覆部と面蒲団との間には汗取りインナーを着脱可能に取り付けるための取着手段を設けたことを特徴とする剣道等の面防具。
【請求項２】
汗取りインナーの面蒲団内面被覆部又はこの面蒲団内面被覆部と内輪内面被覆部とが面蒲団幅方向に伸縮可能に形成されており、少なくとも着用時には汗取りインナーの面蒲団内面被覆部又はこの面蒲団内面被覆部と内輪内面被覆部とが面蒲団幅方向に伸張可能である請求項１に記載の剣道等の面防具。
【請求項３】
汗取りインナーの内輪内面被覆部と内輪及び／又は面金側との間には、この内輪内面被覆部を着脱可能に止着するための止着手段が設けられている請求項１又は２に記載の剣道等の面防具。
【請求項４】
汗取りインナーは、その面蒲団内面被覆部又はこの面蒲団内面被覆部と内輪内面被覆部とが面蒲団内面被覆部側の取着手段と内輪内面被覆部側の止着手段との間で伸張された状態で、内輪及び面蒲団の内面側に取り付けられる請求項３に記載の剣道等の面防具。
【請求項５】
取着手段が、面蒲団内面被覆部の面蒲団幅方向の後端側縁部に取り付けられた一方のエレメントＡと、面蒲団の面蒲団幅方向の後端側に取り付けられた他方のエレメントＢと、これらエレメントＡとエレメントＢとの間を開閉するスライダーとを有するスライドファスナである請求項１〜４のいずれかに記載の剣道等の面防具。
【請求項６】
取着手段が、面蒲団内面被覆部の面蒲団幅方向の後端側縁部に取り付けられたフック側部材と、面蒲団の幅方向の後端側に設けられてフック側部材が係止するループ機能を有する係着部材とからなる面ファスナーである請求項１〜４のいずれかに記載の剣道等の面防具。
【請求項７】
フック側部材が、所定の剛性及び弾性を有する帯状材料で形成され、面蒲団内面被覆部の面蒲団幅方向の後端側縁部にその略全長に亘って取り付けられた取付補助帯を介して、又は、と共に取り付けられている請求項６に記載の剣道等の面防具。
【請求項８】
面ファスナーの係着部材が、面蒲団とは別体のループ側部材である請求項６又は７に記載の剣道等の面防具。
【請求項９】
面ファスナーの係着部材が、面蒲団の内面側を形成する布地である請求項６又は７に記載の剣道等の面防具。
【請求項１０】
取着手段が、面蒲団内面被覆部の面蒲団幅方向の後端側縁部に取り付けられ、面蒲団の幅方向の後端縁に係止される面蒲団係止具である請求項１〜４のいずれかに記載の剣道等の面防具。
【請求項１１】
面蒲団係止具が、面蒲団内面被覆部の面蒲団幅方向の後端側縁部に取り付けられ、面蒲団の幅方向の後端縁をその内外両面側から挟み込んで係止されるクリップ部材である請求項１０に記載の剣道等の面防具。
【請求項１２】
クリップ部材が、弾性材料で形成され、面蒲団内面被覆部の面蒲団幅方向の後端側縁部にその略全長に亘って取り付けられる帯状部と、この帯状部の側縁部にその長さ方向に沿って互いに所定の間隔を置いて一体に形成されるクリップ部とを有し、上記帯状部とクリップ部との間で面蒲団の幅方向の後端縁を挟み込んで係止する請求項１１に記載の剣道等の面防具。
【請求項１３】
面蒲団係止具が、面蒲団内面被覆部の面蒲団幅方向の後端側縁部にその略全長に亘って取り付けられた弾性帯状部材であり、面蒲団の幅方向の後端縁でその外面側に面蒲団内面被覆部の後端側縁部を折り返すことにより、上記弾性帯状部材を面蒲団の後端縁外面側に位置させて係止する請求項１０に記載の剣道等の面防具。
【請求項１４】
面蒲団には、取着手段を収容してその厚みを吸収する溝状部が形成されている請求項１〜１３のいずれかに記載の剣道等の面防具。
【請求項１５】
面蒲団の内面側には、取着手段を被覆して保護する保護カバーが設けられている請求項１〜１２のいずれかに記載の剣道等の面防具。
【請求項１６】
汗取りインナーの面蒲団内面被覆部を面蒲団内面側に着脱可能に取着する取着手段が、剛性のある弾性薄板材で形成され、先端側が面蒲団と内輪の間に差し込まれて固定される薄板取着具と、この薄板取着具の後端部と面蒲団内面被覆部の面蒲団幅方向の後端側縁部との間を着脱可能に固着する固着手段とで構成されている請求項１〜４のいずれかに記載の剣道等の面防具。
【請求項１７】
固着手段が、フック側部材とループ側部材とからなる面ファスナーである請求項１６に記載の剣道等の面防具。
【請求項１８】
汗取りインナーの内輪内面被覆部を内輪に止着する止着手段が、内輪内面被覆部に取り付けられたフック側部材と、内輪に設けられて上記フック側部材が係止するループ機能を有する係着部材とからなる面ファスナーである請求項３〜１７のいずれかに記載の剣道等の面防具。
【請求項１９】
面ファスナーの係着部材が、内輪とは別体のループ側部材である請求項１８に記載の剣道等の面防具。
【請求項２０】
面ファスナーの係着部材が、内輪の内面側を形成する布地である請求項１８に記載の剣道等の面防具。
【請求項２１】
汗取りインナーの内輪内面被覆部を面金側に止着する止着手段が、内輪内面被覆部の面金側周縁部に取り付けられて面金側に係止される面金フック具である請求項３〜１７のいずれかに記載の剣道等の面防具。
【請求項２２】
汗取りインナーの内輪内面被覆部を面金側に止着する止着手段が、内輪内面被覆部の面金側周縁部に取り付けられ、面金とこの面金に面蒲団を結合させる面縁皮との間に嵌合係止される弾性変形可能なリング状弾性係止具である請求項３〜１７のいずれかに記載の剣道等の面防具。
【請求項２３】
着用時に顔面前面に位置する面金と、この面金に取り付けられ、着用時に着用者の頭部を覆って保護する面蒲団と、上記面金及び／又は面蒲団の内側に取り付けられ、着用時に着用者の顔面周縁全体に当接して顔面と面金及び面蒲団との間を固定する内輪とを少なくとも備えた面防具の内面側に着脱可能に取り付けられる汗取りインナーであり、
内輪の内面略全面に対応する内輪内面被覆部と面蒲団内面の少なくとも頭頂部から頭側部に亘って対応する面蒲団内面被覆部とを有し、上記面蒲団内面被覆部には面蒲団に着脱可能に取着するための取着手段を有することを特徴とする剣道等の面防具に用いる汗取りインナー。
【請求項２４】
面蒲団内面被覆部又はこの面蒲団内面被覆部と内輪内面被覆部とが面蒲団幅方向に伸縮可能に形成されており、少なくとも着用時には汗取りインナーの面蒲団内面被覆部又はこの面蒲団内面被覆部と内輪内面被覆部とが面蒲団幅方向に伸張可能である請求項２３に記載の汗取りインナー。
【請求項２５】
内輪内面被覆部と内輪及び／又は面金側との間には、この内輪内面被覆部を着脱可能に止着するための止着手段が設けられている請求項２３又は２４に記載の汗取りインナー。
【請求項２６】
使用時には、面蒲団内面被覆部又はこの面蒲団内面被覆部と内輪内面被覆部とが、面蒲団内面被覆部側の取着手段と内輪内面被覆部側の止着手段との間で伸張された状態で、内輪及び面蒲団の内面側に取り付けられる請求項２５に記載の汗取りインナー。
【発明の詳細な説明】
【技術分野】
【０００１】
この発明は、剣道、薙刀、銃剣道、逮捕術等において竹刀等の打具から競技者の頭部を保護する剣道等の面防具及び面防具において使用される汗取りインナーに関する。
【背景技術】
【０００２】
剣道等で用いられる面防具は、通常、着用時に顔面前面に位置する面金と、この面金に取り付けられ、着用時に着用者（競技者）の頭部を覆って保護する面蒲団と、上記面金及び／又は面蒲団の内側に取り付けられ、着用時に着用者の顔面周縁全体に当接して顔面と面金及び面蒲団との間を固定する内輪と、面金の下部に取り付けられ、着用時に着用者の喉部を保護する突き当てとを備えている。
【０００３】
そして、この面防具を構成する面蒲団は、竹刀等の打撃による衝撃を緩和するために、通常、毛氈、毛布、フェルト、不織布等の緩衝材を芯材として綿布で包み、それを手刺し又は機械刺し（ミシン刺し）等の手段で細かく縫製した一枚物となっており、また、長さ寸法が１〜１．２m程度で幅寸法が１８〜２２cm程度の略長方形状であって着用者の頭頂部から頭側部を通って両肩を覆うことができる大きさに形成され、更に、厚さ寸法が頭頂部及び頭側部を覆う部分で１０〜１２mm程度に、また、肩部を覆う部分で６〜９mm程度に形成されている。また、面防具を構成する内輪についても、面蒲団と同様に、竹刀等の打撃による衝撃を緩和するために、通常、毛氈、毛布、フェルト、不織布等の緩衝材を芯材として綿布で包み込んで形成されている。
【０００４】
このように、緩衝性能を重視する面蒲団や内輪は分厚く形成されており、これを着用し通常体育館等の屋内で激しく動き回る競技者は大量の汗をかくのが通例であり、その発汗量は相当量に達し、この大量の汗を吸収した面蒲団や内輪は乾燥し難く、また、分厚い面蒲団や面金等が装着されて嵩張るために一般の洗濯機には入らず、実質的に洗浄することも不可能であり、結果として、いわゆる面防具特有の悪臭を放つようになり、また、不衛生になりがちであるという問題がある。このため、例えば学校の授業等での使用する場合等、多くの人が共用する場合には生徒等の使用者に嫌われる要因になり、この発汗による汚れ、悪臭等の問題が剣道発展の阻害要因の一つであることは否定し得ない事実であるとされている。
【０００５】
また、一方では、面蒲団や内輪は、吸汗してその内部に汗の成分が沈着すると、同時に繰り返し加えられる打具による大きな衝撃と相俟って、緩衝材としての弾力性が失われ、また、含まれている空気量も減少し、次第に緩衝性能が低下する原因にもなる。
【０００６】
このような剣道等の面防具において、着用者の汗の問題に対する対策としては、一般的には、面防具の着用時にいわゆる面下手拭と称される手拭を頭部に巻き付け、この頭部における衝撃吸収と頭部から生じる汗を吸収する汗取りとを行うことが行われている。しかしながら、この面下手拭のみでは、内輪に関する汗の問題は全く解決されず、また、面蒲団についても競技者が発する大量の汗には到底対処することができない。
そこで、従来においても、剣道等の面防具におけるこのような着用者の汗の問題に対する対策として、幾つかの提案がなされている。
【０００７】
例えば、実開昭49-86,166号公報においては、上部に額当片をまた下部に顎当片をそれぞれ有する顔面被い体（内輪に相当）をマジックテープ（登録商標）（面ファスナー）等の止着具により顔帽体（内輪を除く面防具）の内面に着脱可能に取り付けるようにした剣道の面（面防具）が提案されている。しかしながら、この剣道の面においては、着用者の顔面からの発汗に対しては着脱可能な顔面被い体（内輪）で対応できるものの、着用者の顔面以外の頭部からの発汗に対しては対応できず、面蒲団がこの着用者の顔面以外の頭部からの汗を吸収してしまう。
【０００８】
また、実公昭59-29,751号公報には、面金を囲んで取り付けた面蒲団の上部裏面に上記面金に近接して断面円弧状の金属製保護板を設け、面蒲団の内側に面金を囲んで取り付けた内輪の上部には金属製保護板及び面蒲団に接すると共に内輪当布を有する補助面蒲団を着脱自在に係止し、この補助面蒲団を取り外して乾燥させたり選択することができるようにした剣道用面防具が提案されている。しかしながら、この剣道用面防具の補助面蒲団は、内輪の上部に取り付けられてこの内輪及び面蒲団の上部のみを覆うようになっているので、顔面や頭側部を滴り落ちる汗については全く吸収することができない。
【０００９】
更に、実公昭64-4,377号公報においては、面下手拭に代わるものとして、キャップ体の内側後頭面部にホケット部を設け、このポケット部に衝撃吸収性や吸湿性を有するパット部材を着脱可能に収納し、パット部材を取り外して洗濯できるようにした剣道用頭部保護キャップが提案されている。しかしながら、この剣道用頭部保護キャップは、頭頂部のみを覆う形状に形成されており、パット部材が位置する部分からの発汗に対しては対処できるものの、それ以外の顔面や頭側部を滴り落ちる汗については全く吸収することができない。
【００１０】
更にまた、実開平5-78,272号公報には、剣道用面（面防具）における保護外布（面蒲団）と内輪との間の隙間に面ファスナーを備えた略Ｕ字状の保持体を差し込み、この内輪の内側には顎当て部を備えた略Ｕ字状の吸汗パッドを配設し、この吸汗パッドを上記保持体の面ファスナーにより固定し、顔面を伝って滴り落ちる汗を吸汗パッドで吸収できるようにした剣道用面における吸汗具が提案されている。しかしながら、この剣道用面における吸汗具においては、着用者の顔面下部における発汗に対しては対応できるものの、着用者の顔面上部から内輪に直接吸収される汗や頭頂部や頭側部から面蒲団に吸収される汗に対しては対応できない。
【特許文献１】実開昭49-86,166号公報
【特許文献２】実公昭59-29,751号公報
【特許文献３】実公昭64-4,377号公報
【特許文献４】実開平05-78,272号公報
【発明の開示】
【発明が解決しようとする課題】
【００１１】
何れにしても、上記の面防具に対する従来の発汗対策では着用者の頭部全体からの発汗に対処することができず、また、これら従来の発汗対策を組み合わせて採用しようとすると、面防具内部で必要とする部品点数が多くなり、単に製造コストが嵩むだけでなく、面金、面蒲団及び内輪といった面防具本来の構成部材に対して発汗対策用の部材を位置決めよく正確に、かつ、強固に、しかも、着脱可能に取り付けることが難しく、結局は、着用者の発汗に基づく悪臭と衛生上の問題が依然として未解決であり、剣道普及の大きな妨げとなっている。
【００１２】
そこで、本発明者らは、このような従来の種々の問題を解決すべく鋭意検討した結果、内輪及び面蒲団の内面側には内輪の内面略全面に対応する内輪内面被覆部と面蒲団内面の少なくとも頭頂部から頭側部に亘って対応する面蒲団内面被覆部とを有する汗取りインナーを配設し、この汗取りインナーの面蒲団内面被覆部と面蒲団との間には汗取りインナーを着脱可能に取り付けるための取着手段を設けることにより、従来の種々の問題を解決できることを見い出し、本発明を完成した。
【００１３】
従って、本発明の目的は、着用者の発汗に基づく悪臭や衛生上の問題を確実に解決し、しかも、面金、面蒲団及び内輪といった面防具本来の構成部材に対して位置決めよく正確に、かつ、強固に、しかも、着脱可能に取り付けることができる汗取りインナーを備えた剣道等の面防具を提供することにある。
【００１４】
また、本発明の他の目的は、剣道等の面防具に位置決めよく正確に、かつ、強固に、しかも、着脱可能に取り付けて使用され、面防具の着用者の発汗に基づく悪臭や衛生上の問題を確実に解決することができる汗取りインナーを提供することにある。
【課題を解決するための手段】
【００１５】
すなわち、本発明は、着用時に顔面前面に位置する面金と、この面金に取り付けられ、着用時に着用者の頭部を覆って保護する面蒲団と、上記面金及び／又は面蒲団の内側に取り付けられ、着用時に着用者の顔面周縁全体に当接して顔面と面金及び面蒲団との間を固定する内輪とを少なくとも備えた面防具であり、上記内輪及び面蒲団の内面側には内輪の内面の一部、好ましくは略全面に対応する内輪内面被覆部と面蒲団内面の少なくとも頭頂部から頭側部に亘って対応する面蒲団内面被覆部とを有する汗取りインナーを配設し、この汗取りインナーの面蒲団内面被覆部と面蒲団との間には汗取りインナーを着脱可能に取り付けるための取着手段を設けたことを特徴とする剣道等の面防具である。
【００１６】
また、本発明は、着用時に顔面前面に位置する面金と、この面金に取り付けられ、着用時に着用者の頭部を覆って保護する面蒲団と、上記面金及び／又は面蒲団の内側に取り付けられ、着用時に着用者の顔面周縁全体に当接して顔面と面金及び面蒲団との間を固定する内輪とを少なくとも備えた面防具の内面側に着脱可能に取り付けられる汗取りインナーであり、内輪の内面の一部、好ましくは略全面に対応する内輪内面被覆部と面蒲団内面の少なくとも頭頂部から頭側部に亘って対応する面蒲団内面被覆部とを有し、上記面蒲団内面被覆部には面蒲団に着脱可能に取着するための取着手段を有することを特徴とする剣道等の面防具に用いる汗取りインナーである。
【００１７】
本発明において、汗取りインナーは、予め輪状に形成され、あるいは、着用時に略輪状になるように形成されて少なくとも内輪の内面の一部、好ましくは略全面に対応する内輪内面被覆部と、面蒲団内面の少なくとも頭頂部から頭側部に亘って対応する面蒲団内面被覆部とを有し、着用者の顔面周縁全体と頭頂部から頭側部に至る着用者の頭部の大部分を覆い、この頭部からの汗の大部分を吸収できるものである必要があり、また、その材質についても、汗を吸収できるものであればよいが、着用時には着用者の肌の一部が直接に触れる部分もあるので、好ましくは肌触りのよいものであるのがよく、吸湿性、肌触り、速乾性、通気性等において優れたものであるのがよい。このような観点から、具体的には、発汗を素早く吸収し、表面がべたつかずに感触の良いポリエステルを主たる構成繊維とする吸水性速乾ニットやガーゼ布、不織布等の繊維素材を挙げることができ、また、吸収した汗の保持性能を高めるために、例えば綿素材のニット製品やメリヤス等を裏打ちした２層以上の多層体からなる繊維素材を用いてもよい。
【００１８】
また、この汗取りインナーを形成する素材の厚さについては、厚ければそれだけ汗取り効果が向上するが、反面、面防具本体をそれだけ大きくする必要が生じたり、標準的な面防具には狭くなって頭部が入らなくなることもあり、この標準的な面防具に対応するためには、概ね０．１〜２．０mmの厚さ、好ましくは０．３〜１．０mmの厚さで構成するのがよく、これによって汗取り効果と標準的な面防具への適用が可能になる。なお、ここにいう汗取りインナーを形成する素材の厚さは、汗取りインナーが複数の素材を重ね合わせて構成されている場合には、その重ね合せ後の厚さである。
【００１９】
そして、この汗取りインナーについては、それが着用者の頭部のほぼ全体を覆い、しかも、顔面周縁や頭頂部、頭側部に直接に触れるものであるから、着用時に皺が生じると、極めてその着用感が損なわれ、また、場合によっては皺の部分が長時間強く当たって痣ができることもあるので、このインナーの少なくとも面蒲団内面被覆部を、好ましくは面蒲団内面被覆部と内輪内面被覆部とを面蒲団幅方向に伸縮可能に形成し、少なくとも着用時にはインナーの面蒲団内面被覆部又はこの面蒲団内面被覆部と内輪内面被覆部とが面蒲団幅方向に伸張され、これによって着用時における皺の発生を、少なくとも大きな皺の発生を可及的に減少せしめることが必要である。また、このように面蒲団内面被覆部と内輪内面被覆部とを面蒲団幅方向に伸縮可能に形成することにより、個人差のある頭部形状に良く馴染み、着用者に良くフィットして着用感が向上するだけでなく、汗取り効果も向上する。
【００２０】
この汗取りインナーの面蒲団内面被覆部や内輪内面被覆部に面蒲団幅方向の伸縮性能を付与するために、これら面蒲団内面被覆部や内輪内面被覆部の素材全体に伸縮可能なものを選択して用いてもよく、また、素材の一部に伸縮可能なものを選択して用いてもよく、更には、これら面蒲団内面被覆部や内輪内面被覆部とは別の、例えば伸縮性に富む別の布地、ゴムバンド、ゴム紐、その他の弾性体等の伸縮性を有するものを、これら面蒲団内面被覆部や内輪内面被覆部に縫着、接着、結束、他部材への係止等の手段で取り付けることにより、全体として面蒲団内面被覆部又はこの面蒲団内面被覆部と内輪内面被覆部とに面蒲団幅方向に伸縮可能な伸縮性能を付与してもよいが、製造コスト、着用感、取扱い性等の観点から、好ましくは面蒲団内面被覆部や内輪内面被覆部を構成する素材の全体又は一部として伸縮可能な素材を用いるのがよい。
【００２１】
また、本発明の汗取りインナーについては、その内輪内面被覆部と内輪及び／又は面金側との間に、この内輪内面被覆部を着脱可能に止着するための止着手段を設けてもよく、これによって、面蒲団内面被覆部と面蒲団との間を着脱可能に取り付ける取着手段と相俟って、汗取りインナーを面防具本来の構成部材に対して位置決めよく正確に、かつ、強固に取り付けることができるほか、これら取着手段と止着手段との間で汗取りインナーを予め伸張された状態で内輪及び面蒲団の内面側に取り付けることもでき、着用時における皺の発生をより確実に防止することができる。
【００２２】
本発明において、汗取りインナーの面蒲団内面被覆部と面蒲団との間を着脱可能に取着する取着手段については、特に制限されるものではないが、例えば、以下のものを例示することができる。
【００２３】
すなわち、取着手段として、第一に、面蒲団内面被覆部の面蒲団幅方向の後端側縁部に取り付けられた一方のエレメントＡと、面蒲団の面蒲団幅方向の後端側に取り付けられた他方のエレメントＢと、これらエレメントＡとエレメントＢとの間を開閉するスライダーとを有するスライドファスナを挙げることができる。スライドファスナを用いることにより、汗取りインナーが如何に柔らくまた薄い材質で形成されていても、その位置決めや着脱操作が容易になり、結果として皺の発生も可及的に防止することができる。なお、スライドファスナの始点と終点は、一般に金属製や高硬度プラスチック製であり、顔面に強く当たると危険であるので、竹刀等の衝撃を受けても危険の少ない着用者の耳朶の下方に位置せしめることが望ましい。
【００２４】
また、取着手段として、第二にはフック側部材とループ側部材とからなる面ファスナーを挙げることができ、好ましくは、面蒲団内面被覆部の面蒲団幅方向の後端側縁部に取り付けられたフック側部材と、面蒲団の幅方向の後端側に設けられてフック側部材が係止するループ機能を有する係着部材とからなる面ファスナーである。汗取りインナーの面蒲団内面被覆部側にフック側部材を用いることにより、たとえ使用中にこの面蒲団内面被覆部が面蒲団から外れたり、あるいは、ずれたりしても、面蒲団側に取り付けられて着用者の顔面等に接触するのはループ機能を有する係着部材（ループ側部材）であり、フック側部材の各フック片の先端が着用者の顔面等に接触して損傷や不快感を与えることがなく、また、汗取りインナーを取り外した状態でも面防具として使用することができる。
【００２５】
取着手段として面ファスナーを用いる場合、汗取りインナーの着脱操作を容易にするために、好ましくは面蒲団内面被覆部の後端側縁部に取り付けられる汗取りインナー側のフック側部材又はループ側部材を、所定の剛性及び弾性を有する帯状材料で形成され、面蒲団内面被覆部の面蒲団幅方向の後端側縁部にその略全長に亘って取り付けられた取付補助帯を介して、又は、と共に取り付けるのがよく、これによって着脱操作の際の汗取りインナー側のフック側部材又はループ側部材の位置決めを容易にし、汗取りインナーに皺を発生させることなく容易に着脱操作を行うことができる。この取付補助帯の材質については、汗取りインナーより高い硬度のものであって面蒲団の端部に揃え易い程度の硬度があれば任意のものでよく、例えば、ポリエチレン、ポリプロピレン、ＡＢＳ、ＰＥＴ、ポリカーボネート等の合成樹脂製薄板や、厚手の織物、ミシン刺しの布地、フェルト、皮革等が挙げられる。
【００２６】
また、汗取りインナーの面蒲団内面被覆部の後端側縁部にフック側部材を取り付けて面蒲団側に面ファスナーの係着部材を取り付ける場合、この係着部材については、面蒲団とは別体のループ側部材で構成できるほか、面蒲団の内面側を形成する布地そのものでもよく、このループ機能を有する布地としては、例えば、化学繊維を用いたループパイル織り素材、パイル編み素材、起毛状編み素材、撚りの少ない繊維の織物、編み物、起毛布等を例示することができる。更に、面蒲団側には、このようなループ機能を有する布地を面蒲団とは別体に取り付けてもよい。
【００２７】
更に、取着手段として、第三には、面蒲団内面被覆部の面蒲団幅方向の後端側縁部に取り付けられ、面蒲団の幅方向の後端縁に係止される面蒲団係止具を挙げることができる。この面蒲団係止具については、例えば、弾性材料で形成され、面蒲団内面被覆部の面蒲団幅方向の後端側縁部にその略全長に亘って取り付けられる帯状部と、この帯状部の側縁部にその長さ方向に沿って互いに所定の間隔を置いて一体に形成されるクリップ部とを有し、上記帯状部を介して面蒲団内面被覆部の面蒲団幅方向の後端側縁部に取り付けられ、面蒲団の幅方向の後端縁をその内外両面側から挟み込んで係止されるクリップ部材を例示することができ、また、面蒲団内面被覆部の面蒲団幅方向の後端側縁部にその略全長に亘って取り付けられ、面蒲団の幅方向の後端縁でその外面側に面蒲団内面被覆部の後端側縁部を折り返すことにより、上記弾性帯状部材を面蒲団の後端縁外面側に位置させて係止される弾性帯状部材を例示することができる。
【００２８】
そして、上記面蒲団において、上記の取着手段が取り付けられる部分あるいはその周辺には、必要により、この取着手段を収容してその厚みを吸収する溝状部を設け、少なくとも着用時には上記取着手段の全部又は一部（例えば、スライドファスナのエレメントＡとエレメントＢとの連結部分、面ファスナーのフック側部材とループ側部材との係止部分、クリップ部材や弾性帯状部材等の面蒲団係止具等）をこの溝状部内に収容し、これによって取着手段が面蒲団の内面側に出っ張るのを防止し、竹刀等による打突により衝撃を受けた際に取着手段を介して着用者に衝撃が集中して伝達するのを防止することができる。
【００２９】
また、上記面蒲団において、上記の取着手段が取り付けられる部分あるいはその周辺には、必要により、取着手段を被覆して保護する保護カバーを設けてもよく、また、この保護カバーについては衝撃吸収性を持たせてもよく、これによって取着手段を保護できると共に着用者の頭部に取着手段を介して伝達する衝撃を緩和することができる。
【００３０】
更にまた、取着手段について、第四には、剛性のある弾性薄板材で形成され、先端側が面蒲団と内輪の間に差し込まれて固定される薄板取着具と、この薄板取着具の後端部と面蒲団内面被覆部の面蒲団幅方向の後端側縁部との間を着脱可能に固着する面ファスナー等の固着手段とで構成し、着用時には、先ず、薄板取着具の後端部と面蒲団内面被覆部の面蒲団幅方向の後端側縁部との間を固着手段で固着して薄板取着具に汗取りインナーを取り付け、次いで、汗取りインナーが固着された薄板取着具の先端部を面蒲団と内輪の間に差し込んで固定し、これによって面防具本来の構成部材に汗取りインナーを着脱可能に取着する。この取着手段によれば、外部で予め薄板取着具に汗取りインナーを取り付けてから汗取りインナーを面防具本来の構成部材に取着するので、汗取りインナーの取着操作がより一層容易になるほか、その位置決めや皺の発生防止が確実になる。
【００３１】
この第四の取着手段において、薄板取着具は、例えばＰＥＴ、ナイロン、ポリプロピレン、ポリエチレン、ＡＢＳ、ポリカーボネート等の剛性と弾性に優れた合成樹脂板で形成され、好ましくは、汗取りインナーの場合と同様に、予め輪状に形成され、あるいは、着用時に輪状、若しくは逆Ｕ字状になるように形成されて内輪の内面略全面に対応する内輪対応部と面蒲団内面の少なくとも頭頂部から頭側部に亘って対応する面蒲団対応部とを有するのがよく、これによって薄板取着具の、ひいては汗取りインナーの取着操作がより一層容易になる。また、この薄板取着具の厚みについては、厚過ぎると面防具内部の体積、着用者の頭部が入る容積を小さくするので、好ましくは薄いものがよく、２mm程度以下が好ましい
。更に、薄板取着具には、通気性を保つために適度の通気孔を設けてもよい。
【００３２】
本発明において、汗取りインナーの内輪内面被覆部を内輪に止着する止着手段については、着用者の顔面周縁が汗取りインナーの内輪内面被覆部を介して内輪に固定されるので必ずしも必要ではないが、面防具本来の構成部材に汗取りインナーを位置決めよく正確に、かつ、強固に取着し、また、着脱の操作性を向上される上で、好ましくは設けるのがよい。
【００３３】
この目的で設けられる止着手段としては、例えば、内輪内面被覆部に取り付けられたフック側部材と、内輪に設けられて上記フック側部材が係止するループ機能を有する係着部材（内輪とは別体のループ側部材や内輪の内面側を形成する布地等）とからなる面ファスナーや、内輪内面被覆部の面金側周縁部に取り付けられて面金側に係止される面金フック具や、内輪内面被覆部の面金側周縁部に取り付けられ、面金側の面金と面蒲団を面金に取り付ける面縁皮との間に嵌合係止される弾性変形可能な金属製のコイル部材、バネ部材、形状記憶合金等や、合成樹脂製のロッド部材、チューブ部材等のリング状弾性係止具等を例示することができる。
【００３４】
本発明の汗取りインナーは、その輪状の内輪内面被覆部、面蒲団内面被覆部、取着手段、止着手段等の構成により、面防具本来の構成部材側に何らかの加工を必要とする場合と、このような加工を全く必要としない場合とがあるが、いずれにしても、使用者は複数の汗取りインナーを用意し、使用後には取り外して洗濯し、その間、別の汗取りインナーを面防具本来の構成部材に取着して使用することができるものである。
【発明の効果】
【００３５】
本発明の剣道等の面防具及び汗取りインナーは、着用者の頭部全体からの発汗に対処することができ、また、面金、面蒲団及び内輪といった面防具本来の構成部材に対して汗取りインナーを位置決めよく正確に、かつ、強固に、しかも、着脱可能に取り付けることができるので、着用者の発汗に基づく悪臭や衛生上の問題を確実に解決することができ、剣道等の普及にも極めて有用なものである。
【発明を実施するための最良の形態】
【００３６】
以下、添付図面に示す実施例に基づいて、本発明の好適な実施の形態を具体的に説明する。
【００３７】
〔実施例１〕
図１〜図６に本発明の実施例１に係る剣道用面防具が示されている。この剣道用面防具は、着用時に着用者の顔面前面に位置する面金２、この面金２に取り付けられて着用時に着用者の頭部を覆って保護する面蒲団３、上記面金２及び面蒲団３の内側に取り付けられて着用時に着用者の顔面周縁全体に当接して顔面と面金２及び面蒲団３との間を固定する内輪４、及び、着用時に着用者の首部全面に位置して首部を保護する突き当て５を備えた面防具本体１と、この面防具本体１の上記内輪４及び面蒲団３の内面側には内輪４の内面略全面に対応する内輪内面被覆部７と面蒲団３内面の頭頂部から両耳より下方の顎下端の高さ位置程度まで頭側部に対応する面蒲団内面被覆部８とを有する汗取りインナー６と、この汗取りインナー６の面蒲団内面被覆部７の面蒲団幅方向の後端側縁部と面蒲団３の幅方向後端部との間に設けられて上記汗取りインナー６を面防具本体１の内側に着脱可能に取り付ける取着手段９とで構成されている。
【００３８】
この実施例１の剣道用面防具において、上記内輪４は、図２に示されているように、着用者の顔面周縁を囲む周輪部4aと、この周輪部4aの前面上部に設けられて着用者の額が当接する額止部4bと、周輪部4aの前面下部に設けられて着用者の顎が当接する顎止部4cと、上記周輪部4aの下部から垂れ下がるように設けられ、面防具本体１の突き当て５と着用者の首部との間に位置する、いわゆる用心垂れ4dとで構成されている。
【００３９】
この実施例１において、上記汗取りインナー６の内輪内面被覆部７には、図５に示すように、内輪４の額止部4bに対応する位置にこの額止部4bを包み込むように位置する額止被覆部7bが、また、その顎止部4cに対応する位置にはこの顎止部4cを包み込むように位置する顎止被覆部7cが、更に、その周輪部4aの顎下部分に対応する位置にはこの顎下部分を包み込むように位置する顎下被覆部7dがそれぞれ設けられており、また、これによって着用時にはこの内輪内面被覆部７が着用者の顔面周縁全体に亘って当接するようになっている。
なお、図５において、２点破線10は汗取りインナー６において内輪内面被覆部７と面蒲団内面被覆部８とを概念的に区画する区画線であり、内輪４の周輪部4aに対応する部分が周輪被覆部7aとなっている。
【００４０】
また、この実施例１において、上記内輪内面被覆部７と面蒲団内面被覆部８とはその全体が面蒲団３の幅方向に伸縮可能な吸水性速乾ニット素材で形成されており、また、汗取りインナー６を面防具本体１の内側に着脱可能に取り付ける取着手段９が、図３及び図４に示すように、面蒲団内面被覆部８の面蒲団幅方向の後端側縁部に取り付けられた一方のエレメントＡ 11aと、面蒲団３の幅方向後端部に取り付けられた他方のエレメントＢ 11bと、これらエレメントＡ 11aとエレメントＢ 11bとの間を開閉するスライダー11cとからなるスライドファスナ9aで構成されており、更に、汗取りインナー６の内輪内面被覆部７と内輪４との間には、内輪内面被覆部７側に取り付けられたフック側部材12aと、このフック側部材12aの取付位置に対応する内輪４側の所定の位置に取り付けられたループ側部材（係着部材）12bとからなる面ファスナー（止着手段）12が設けられている。
【００４１】
なお、スライドファスナ（取着手段９）9aは、面蒲団内面被覆部８の後端側縁部にその略全長に亘って取り付けられており、これによってこのスライドファスナ9aの始端及び終端とスライダーとがそれぞれ両耳朶より下方に位置し、これらスライドファスナ9aの始端及び終端やスライダーにより傷を負う危険性が解消されており、また、面ファスナー（止着手段）12は、内輪内面被覆部７を構成する周輪被覆部7a、額止被覆部7b、顎止被覆部7c、及び顎下被覆部7dの所定の位置に所定の間隔で、あるいは、その全長に亘って所定数のフック側部材12aが取り付けられており、内輪４側にはそれぞれ対応する周輪部4a、額止部4b、顎止部4c、及び周輪部4aの顎下部分の各フック側部材12aに対応する位置にそれぞれ所定数のループ側部材12bが取り付けられている。
【００４２】
そして、汗取りインナー６が上記のスライドファスナ（取着手段９）9aと面ファスナー（止着手段）12とによって面防具本体１の内側に取り付けられたとき、この汗取りインナー６の内輪内面被覆部７と面蒲団内面被覆部８とはそれぞれ内輪４及び面蒲団３の内面側に概ね位置するように張り渡され、この際に主として内輪４の形状に基づいて内輪４及び面蒲団３と内輪内面被覆部７及び面蒲団内面被覆部８との間に空間Ｓが形成され、着用者がその頭部に面防具を装着した際に伸縮可能な内輪内面被覆部７及び面蒲団内面被覆部８が概ね面蒲団３の幅方向に伸張し、図６(a)及び(b)に示すように、内輪４及び面蒲団３と着用者の頭部Ｈとの間に、特に着用者の頭部の形状に沿ってぴったりと納まるようになっている。
【００４３】
従って、この実施例１の剣道用面防具によれば、使用時には着用者は、先ず、スライドファスナ（取着手段９）9aにより汗取りインナー６の面蒲団内面被覆部８を面防具本体１の面蒲団３の所定の位置に取着し、次いで、汗取りインナー６全体、特にその内輪内面被覆部７の皺を延ばしながら、あるいは、この内輪内面被覆部７に皺ができないようにしながら、面ファスナー（止着手段）12により汗取りインナー６の内輪内面被覆部７を面防具本体１の内輪４の所定位置に止着し、これによって面防具本体１に汗取りファスナー６を取り付けた後に、通常の面防具と同様にして頭部に装着すればよく、着用者が頭部に装着することにより、面防具本体１内に取り付けられた汗取りインナー６の内輪内面被覆部７及び面蒲団内面被覆部８は面蒲団幅方向に引っ張られ、内輪４及び面蒲団３と着用者の頭部Ｈとの間に着用者の頭部の形状に沿ってぴったりと納まる。
【００４４】
また、着用者が剣道の稽古や試合を終了した後には、着用者がその頭部から面防具を脱ぎ取ると、面蒲団幅方向に引っ張られていた汗取りファスナー６の内輪内面被覆部７及び面蒲団内面被覆部８は元の状態に戻るので、スライドファスナ9aを開放した後に面ファスナー12を引き剥がすことにより、容易に汗取りインナー６を面防具本体１から取り外すことができる。
【００４５】
〔実施例２〕
図７及び図８に本発明の実施例２に係る剣道用面防具の要部が示されている。
この実施例２の面防具は、上記実施例１の場合とは異なり、汗取りインナー６の面蒲団内面被覆部８を面防具本体１の面蒲団３側に着脱可能に取着する取着手段９が、面蒲団内面被覆部８の面蒲団３の幅方向の後端側縁部に取り付けられたフック側部材13aと、面蒲団３の幅方向の後端側に設けられてフック側部材13aが係止するループ機能を有するループ側部材（係着部材）13bとからなる面ファスナー9bで構成されており、また、この面ファスナー9bの上記フック側部材13aが面蒲団内面被覆部８後端側縁部を面蒲団３の端部に揃え易い程度の剛性及び弾性を有する例えばポリエチレン、ポリプロピレン、ＡＢＳ、ＰＥＴ、ポリカーボネート等の合成樹脂製薄板や、厚手の帯状織物、ミシン刺しの布地、フェルト、皮革等の材質の帯状材料で形成され、面蒲団内面被覆部の後端側縁部にその略全長に亘って取り付けられた取付補助帯14を介して取り付けられている。
【００４６】
従って、この実施例２の面防具によれば、その面防具本体１に汗取りインナー６を取り付ける場合には、実施例１の場合と同様に、先ず上記取付補助帯14を介して取り付けられた面蒲団内面被覆部８側のフック側部材13aと面蒲団３側のループ側部材13bとを係着させ、次いで汗取りインナー６の内輪内面被覆部７を面防具本体１の内輪４の所定位置に止着させることにより、汗取りインナー６の面蒲団内面被覆部８を面防具本体１の面蒲団３の所定の位置に取着すればよく、この際に面蒲団内面被覆部８の面蒲団幅方向の後端側縁部に取付補助帯14が設けられているので、この面蒲団内面被覆部８の後端側縁部を、皺が発生しないように位置決めよく、かつ、容易に面蒲団３の後端側に取着することができる。
【００４７】
なお、この実施例２においては、面蒲団３の後端側にこの面蒲団３とは別体のループ側部材13bを設けているが、面蒲団３それ自体の材質をフック側部材13aが係止し得るループ機能を備えた布地（係着部材）で構成し、これによって面蒲団３側のループ側部材13bを省略することもできる。
また、図９は、この実施例２の変形例に係るものであり、取付補助帯14が面蒲団内面被覆部８の後端側縁部に、この後端側縁部によって包み込まれるように、フック側部材13aと共に取り付けられている。
【００４８】
〔実施例３〕
また、図１０〜図１２に本発明の実施例３に係る剣道用面防具の要部が示されている。
この実施例３の面防具は、上記実施例１の場合とは異なり、汗取りインナー６の面蒲団内面被覆部８を面防具本体１の面蒲団３側に着脱可能に取着する取着手段９が、例えばポリエチレン、ポリプロピレン、ナイロン、ポリカーボネート等の靭性と弾性に優れた合成樹脂製薄板材料で形成され、面蒲団内面被覆部８の面蒲団幅方向の後端側縁部にその略全長に亘って取り付けられる帯状部15aと、この帯状部の側縁部にその長さ方向に沿って互いに所定の間隔を置いて一体に形成されたクリップ部15bとを有するクリップ部材（面蒲団係止具）9cで構成されている。
【００４９】
従って、この実施例３の面防具によれば、その面防具本体１に汗取りインナー６を取り付ける場合には、実施例１の場合と同様に、先ず上記クリップ部材9cを、その帯状部15aとクリップ部15bとの間で面蒲団３の後端縁をその内外両面側から挟み込むように、面蒲団３の後端縁に係止させ、次いで汗取りインナー６の内輪内面被覆部７を面防具本体１の内輪４の所定位置に止着すればよく、この実施例３の場合も、面蒲団内面被覆部８の後端側縁部にその略全長に亘って取り付けられた帯状部15aにより、面蒲団内面被覆部８の後端側縁部を、皺が発生しないように位置決めよく、かつ、容易に面蒲団３の後端側に取着することができる。
【００５０】
なお、この実施例３においては、クリップ部材9cが面蒲団内面被覆部８の面後端側縁部にその略全長に亘って取り付けられる帯状部15aとクリップ部15bとで構成されているが、上記帯状部15aについては、特にこれに限られるものではなく、上記クリップ部15bと同様の形状や大きさに形成されていてもよい。
【００５１】
〔実施例４〕
更に、図１３〜図１５に本発明の実施例４に係る剣道用面防具の要部が示されている。
この実施例４の面防具は、上記実施例１の場合とは異なり、汗取りインナー６の面蒲団内面被覆部８を面防具本体１の面蒲団３側に着脱可能に取着する取着手段９が、金属製、合成樹脂製等の適宜な剛性と弾性とを有する帯状薄板材で形成され、面蒲団内面被覆部８の面蒲団幅方向の後端側縁部にその略全長に亘って接着、貼着、縫着、布地で包み込むような取付等の適宜な手段で取り付けられた弾性帯状部材（面蒲団係止具）9dで構成されており、面蒲団３の幅方向の後端縁でその外面側に面蒲団内面被覆部８の後端側縁部（弾性帯状部材9d）を折り返して位置させることにより、上記弾性帯状部材9dを面蒲団３の後端縁外面側に係止するようになっている。
【００５２】
この実施例４において、上記弾性帯状部材9dは、２点破線30を頭頂部中心とする面蒲団内面被覆部８の展開図である図１５(a)及び(b)に示すように、面蒲団内面被覆部８の後端側縁部略全長に及ぶ折返し部16aと、この折返し部16aの両端に位置し、折返し部16aを折り返した際に面蒲団３の後端縁内面側に位置し、上記折返し部16aとの間でこの面蒲団３の後端縁を挟み込むように係止し、折返し部16aの両端部が面蒲団３の後端縁から浮き上がるのを防止する裏当て部16bと、これら折返し部16aと裏当て部16bとの間に位置して折返し部16aの折返し操作を容易にする湾曲部16cとで構成されている。
【００５３】
この実施例４の面防具によれば、面蒲団３側に何らの加工を施すことなく汗取りインナー６の取着手段（弾性帯状部材9d）９を設けることができ、それだけ面防具本体１側の製作が容易になるほか、面蒲団内面被覆部８の後端側縁部にその略全長に亘って取り付けられた弾性帯状部材9dにより、面蒲団内面被覆部８の後端側縁部を、皺が発生しないように位置決めよく、かつ、容易に面蒲団３の後端側に取着することができる。
【００５４】
更に、この実施例４の面防具によれば、面蒲団３側に何らの加工を施すことなく汗取りインナー６の取着手段（弾性帯状部材9d）９を設けることができるので、汗取りインナー６の面金２側を、例えば止着手段を必要としないタイプにしたり、止着手段を内輪４及び／又は面金２側に何らの加工を必要としないタイプにすることにより、本発明の汗取りインナー６を採用しても面防具本体１側にはそのための何らの加工も必要なくなり、このことは既に製作されている従来の面防具にも適用できることを意味する。
【００５５】
〔実施例５〕
また、図１６に本発明の実施例５に係る剣道用面防具の要部が示されており、この実施例５においては、上記実施例１の場合と異なり、面蒲団３の幅方向の後端縁部に沿ってその略全長に亘って一般部より薄肉に形成された溝状部17aが形成されており、この溝状部17aの薄肉端部18の内面側には、スライドファスナ（取着手段９）9aの一方のエレメントＢ 11bがこのスライドファスナ9aの連結部を被覆して保護する保護カバー19と共に縫着等の手段で取付けられており、これによって、スライドファスナ9aの連結部が面蒲団３の溝状部17a内に納まってその厚みが吸収され、面蒲団３の内面側一般面から内方に突出することがなく、更に、保護カバー19で保護され、金属や硬質合成樹脂で形成されたスライドファスナ9aの連結部が誤って着用者の頭部に当接したり、頭部を圧迫するようなことがなくなるほか、スライドファスナ9aそれ自体の破損も防止することができる。
【００５６】
〔実施例６〕
更に、図１７に本発明の実施例６に係る剣道用面防具の要部が示されており、この実施例６においては、上記実施例２の場合と異なり、面蒲団３の幅方向の後端縁部に沿ってその略全長に亘って一般部より薄肉に形成された凹形状の溝状部17bが形成されており、この溝状部17b内の底面には面ファスナー（取着手段９）9bのループ側部材（係着部材）13bが取付けられており、また、面蒲団３の後端縁部にその略全長に亘って上記溝状部17bの上方に向けて延びる保護カバー19が縫着等の手段で取付けられており、汗取りインナー６の面蒲団内面被覆部８の後端側縁部に取付補助帯14を介して取り付けられたフック側部材13aが上記ループ側部材13bに止着された際にはその連結部が取付補助帯14と共に上記溝状部17b内に収容され、その厚みが吸収されて面蒲団３の内面側一般面から内方に突出することがなく、実施例５の場合と同様に、保護カバー19で保護されるようになっている。
【００５７】
〔実施例７〕
更にまた、図１８に本発明の実施例７に係る剣道用面防具の要部が示されており、この実施例７においては、上記実施例６の場合と異なり、面蒲団３の幅方向の後端縁部に沿ってその略全長に亘って一般部より薄肉に形成された溝状部17aが形成されており、この溝状部17aの薄肉端部18の内面側にはフック側部材13aが係止し得るループ機能を有する布地で形成された保護カバー（係着部材13b）19が取付けられており、また、汗取りインナー６の面蒲団内面被覆部８の後端側縁部にはその外側面側に取付補助帯14がまた内側面側にフック側部材13aがそれぞれ取付けられ、このフック側部材13aが保護カバー（係着部材13b）19に係着した際にはフック側部材13aと取付補助帯14とが溝状部17a内に収容され、その厚みが吸収されて面蒲団３の内面側一般面から内方に突出することがなく、実施例５の場合と同様に、保護カバー19で保護されるようになっている。
【００５８】
〔実施例８〕
次に、図１９及び図２０に本発明の実施例８に係る剣道用面防具の要部が示されている。
この実施例８の剣道用面防具においては、上記各実施例の場合とは異なり、汗取りインナー６の面蒲団内面被覆部８を面蒲団内面側に着脱可能に取着する取着手段９が、ＰＥＴ、ナイロン、ポリプロピレン、ポリエチレン、ＡＢＳ、ポリカーボネート等の剛性及び弾性のある厚さ２mm程度以下の弾性薄板材で形成され、先端側が面蒲団３と内輪４の間に差し込まれて固定される薄板取着具9eと、面蒲団内面被覆部８側に取付けられたフック側部材20a及び上記薄板取着具9e側に取付けられたループ側部材20bからなり、上記薄板取着具9eの後端部と面蒲団内面被覆部８の後端側縁部との間を着脱可能に固着する面ファスナー（固着手段）9fとで構成されている。なお、上記薄板取着具9eには、必要により通気性を保つために適度の通気孔（図示せず）を設けてもよい。
【００５９】
この実施例８の面防具によれば、上記実施例４の場合と同様に、面蒲団３側に何らの加工を施すことなく汗取りインナー６の取着手段〔薄板取着具9e及び面ファスナー（固着手段）9f〕９を設けることができ、それだけ面防具本体１側の製作が容易になるほか、汗取りインナー６の面金２側を、例えば止着手段を必要としないタイプにしたり、止着手段を内輪４及び／又は面金２側に何らの加工を必要としないタイプにすることにより、既に製作されている従来の面防具にも適用することができる。
【００６０】
〔止着手段の変形例〕
図２１〜図２６には、上記実施例１に示された面ファスナー12以外の止着手段が示されている。
図２１及び図２２に示された止着手段は、汗取りインナー６の内輪内面被覆部７の額止被覆部7bの先端部に設けられて面金２に係止される合成樹脂薄板製の板状掛け金（面金フック具）21と、内輪内面被覆部７の顎止被覆部7cの先端部に設けられて面金２に係止される合成樹脂製のフック（面金フック具）22と、内輪内面被覆部７の顎下被覆部7dの先端部に設けられて内輪４の用心垂れ4dに掛け止めされるゴム又は紐製の止め紐具（面金フック具）23とで構成されている。
【００６１】
また、図２３及び図２４に示された止着手段は、汗取りインナー６の内輪内面被覆部７が内輪４の周輪部4aを覆う部分に取付けられて面金２に係止される合成樹脂薄板製の２種類のフック（面金フック具）22a,22bで構成されている。
更に、図２５及び図２６に示された止着手段は、内輪内面被覆部７の面金側周縁部に取り付けられ、面金２とこの面金２に面蒲団３を結合させる面縁皮25との間に嵌合して係止される弾性変形可能なナイロン製チューブ材製のリング状弾性係止具（面金フック具）24であり、このリング状弾性係止具24の着脱時にはその形状を変形させ、面金２と面縁皮25との間に嵌合して、あるいは、面金２と面縁皮25との間から取り外して、その後に形状を復元させればよい。
【産業上の利用可能性】
【００６２】
本発明の剣道等の面防具及び汗取りインナーは、面防具本来の構成部材に対して汗取りインナーを容易に着脱することができ、面蒲団や内輪等への汗の浸透を可及的に防止することができ、悪臭や不衛生等の問題を解決できるので、他人との共同使用を余儀なくされる学校授業用面防具等として極めて有用であり、また、汗取りインナーのみを個人用として所有したり、既に使用中の面防具にも適用することができるので、汗取りインナー単体としても極めて有用なものである。
【図面の簡単な説明】
【００６３】
【図１】図１は、本発明の実施例１に係る剣道用面防具の正面説明図である。
【図２】図２は、図１の面防具を構成する内輪を示す斜視説明図である。
【００６４】
【図３】図３は、図１の縦断面説明図である。
【図４】図４は、図１の横断面説明図である。
【００６５】
【図５】図５は、図１の汗取りインナーを取り出して示す斜視説明図である。
【図６】図６は、実施例１の面防具における汗取りインナーとその着用者の頭部との位置関係を示す説明図である。
【００６６】
【図７】図７は、本発明の実施例２に係る剣道用面防具の要部を示す説明図である。
【図８】図８は、図７の部分断面説明図である。
【００６７】
【図９】図９は、実施例２の変形例を示す図８と同様の部分断面説明図である。
【図１０】図１０は、本発明の実施例３に係る剣道用面防具を後方から見たときの要部を示す説明図である。
【００６８】
【図１１】図１１は、図１０の部分断面説明図である。
【図１２】図１２は、図１０の取着手段を示す部分斜視説明図である。
【００６９】
【図１３】図１３は、本発明の実施例４に係る剣道用面防具の汗取りインナーを示す図５と同様の斜視説明図である。
【図１４】図１４は、図１３の部分断面説明図であり、図１４(a)が部分縦断面説明図であって図１４(b)が部分横断面説明図である。
【００７０】
【図１５】図１５は、図１３の取着手段である弾性帯状部材（面蒲団係止具）を示す展開平面説明図であり、図１５(a)が折返し係止前の状態を示し、また、図１５(b)が折返し係止後の状態を示す。
【図１６】図１６は、実施例５の剣道用面防具の要部を示す部分断面説明図である。
【００７１】
【図１７】図１７は、実施例６の剣道用面防具の要部を示す部分断面説明図である。
【図１８】図１８は、実施例７の剣道用面防具の要部を示す部分断面説明図である。
【００７２】
【図１９】図１９は、実施例８の剣道用面防具の要部を示す部分縦断面説明図である。
【図２０】図２０は、図１９の部分横断面説明図である。
【００７３】
【図２１】図２１は、本発明の剣道用面防具の止着手段の変形例を記す部分縦断面説明図である。
【図２２】図２２は、図２１の部分正面説明図である。
【００７４】
【図２３】図２３は、本発明の剣道用面防具の止着手段の他の変形例を記す部分横断面説明図である。
【図２４】図２４は、図２３の部分正面説明図である。
【００７５】
【図２５】図２５は、本発明の剣道用面防具の止着手段の他の変形例を記す正面説明図である。
【図２６】図２６は、図２５の部分横断面説明図である。
【符号の説明】
【００７６】
１…面防具本体、２…面金、３…面蒲団、４…内輪、4a…周輪部、4b…額止部、4c…顎止部、4d…用心垂れ、５…突き当て、６…汗取りインナー、７…内輪内面被覆部、7a…周輪被覆部、7b…額止被覆部、7c…顎止被覆部、7d…顎下被覆部、８…面蒲団内面被覆部、９…取着手段、9a…スライドファスナ（取着手段）、9b…面ファスナー（取着手段）、9c…クリップ部材〔面蒲団係止具（取着手段）〕、9d…弾性帯状部材〔面蒲団係止具（取着手段）〕、9f…面ファスナー〔固着手段（取着手段）〕、10,30…２点破線、11a…エレメントＡ、11b…エレメントＢ、11c…スライダー、12…面ファスナー（止着手段）、12a…フック側部材、12b…ループ側部材（係着部材）、Ｓ…空間、Ｈ…頭部、13a…フック側部材、13b…ループ側部材（係着部材）、14…取付補助帯、15a…帯状部、15b…クリップ部、16a…折返し部、16b…裏当て部、16c…湾曲部、17a,17b…溝状部、18…薄肉端部、19…保護カバー、20a…フック側部材、20b…ループ側部材、21…板状掛け金〔面金フック具（止着手段）〕、22,22a,22b…フック〔面金フック具（止着手段）〕、23…止め紐具（止着手段）、24…リング状弾性係止具〔面金フック具（止着手段）〕、25…面縁皮。
【図１】
2006180898.tif 000003
【図２】
2006180898.tif 000004
【図３】
2006180898.tif 000005
【図４】
2006180898.tif 000006
【図５】
2006180898.tif 000007
【図６】
2006180898.tif 000008
【図７】
2006180898.tif 000009
【図８】
2006180898.tif 000010
【図９】
2006180898.tif 000011
【図１０】
2006180898.tif 000012
【図１１】
2006180898.tif 000013
【図１２】
2006180898.tif 000014
【図１３】
2006180898.tif 000015
【図１４】
2006180898.tif 000016
【図１５】
2006180898.tif 000017
【図１６】
2006180898.tif 000018
【図１７】
2006180898.tif 000019
【図１８】
2006180898.tif 000020
【図１９】
2006180898.tif 000021
【図２０】
2006180898.tif 000022
【図２１】
2006180898.tif 000023
【図２２】
2006180898.tif 000024
【図２３】
2006180898.tif 000025
【図２４】
2006180898.tif 000026
【図２５】
2006180898.tif 000027
【図２６】
2006180898.tif 000028